(57)【特許請求の範囲】
【請求項１】
魚釣り等に用いられる保冷性を有するクーラーボックスであって、
内壁面の上端付近を欠切して設けられた複数の係止溝を有し、上面が開口した箱型の容体部と、
前記容体部の開口側より前記係止溝に脱着自在に挿入可能な係止突起を有し、複数の前記係止溝のうち任意の係止溝に前記係止突起を挿入することにより前記容体部内での位置を水平方向に変更可能な補助部材と、
前記容体部の開口に開閉可能に設けられた板状の蓋部と
を備えた、クーラーボックス。
【請求項２】
前記容体部は略直方体型であり、
前記係止溝は、前記容体部の対向する一対の長辺内壁面のそれぞれの上端付近に設けられて、対の係止溝になっており、
前記補助部材は前記対の係止溝に脱着自在に挿入可能な一対の係止突起を有する、請求項１に記載のクーラーボックス。
【請求項３】
前記対の係止溝は、前記容体部の長辺内壁面に長さ方向に間隔を隔てて複数設けられている、請求項２に記載のクーラーボックス。
【請求項４】
前記係止溝は、上面側が開放された略半円筒型になるように前記容体部の内壁面が欠切されて設けられており、前記補助部材の係止突起はこの係止溝に合致する略半円筒型である、請求項１〜３の何れかに記載のクーラーボックス。
【請求項５】
前記容体部の内壁面の上端部には段部が設けられており、
前記補助部材の側壁の周囲上端部には、前記段部に係止するフランジが設けられている、
請求項１から４のいずれかに記載のクーラーボックス。
【発明の詳細な説明】
【０００１】
【発明の属する技術分野】
本発明は、魚等を収納し保冷するクーラーボックスに関する。
【０００２】
【従来の技術】
従来のクーラーボックスは、箱形の容体部と、容体部上部に蝶番等によって開閉可能に設けられた板状の蓋部とを有している。この容体部及び蓋部は内部に発泡ポリウレタン等の断熱材が充填されている。
【０００３】
このクーラーボックスは、氷や保冷剤と共に魚等を容体部内に入れて使用される。この際、本体部及び蓋部が有する断熱効果により、内部の温度を低く保つことができ、内部に収納した魚等が保冷される。
【０００４】
【発明が解決しようとする課題】
従来のクーラーボックスの容体部内部は、別段「仕切り」はなく１つの空間となっている。しかし、クーラーボックス内に種々の物を区分けしながら収納したい場合もあり、この観点からすれば、容体部内に「仕切り」を設けて細かく小部屋を設けるのが好ましい。一方で、容体部内を細かく小部屋に分けてしまうと、小部屋のサイズを超える大型の物を容体部内に収納できなくなる。とすれば、状況に応じて自由に容体部内に「仕切り」を設けられるのが好ましい。
【０００５】
また、使用する状況に応じて、例えば「釣り餌」のような保冷が必要な細かい小物を収納するトレー等をクーラーボックスの容体部内に配置できれば、さらに収納が便利になる。
【０００６】
本発明の課題は、用途に応じて容体部内の仕様を変化させることが可能なクーラーボックスを提供することにある。
【０００７】
【課題を解決するための手段】
発明１にかかるクーラーボックスは、魚釣り等に用いられる保冷性を有するクーラーボックスであって、内壁面の上端付近を欠切して設けられた複数の係止溝を有し上面が開口した箱型の容体部と、容体部の開口側より係止溝に脱着自在に挿入可能な係止突起を有する補助部材と、容体部の開口に開閉可能に設けられた板状の蓋部とを備えている。補助部材は、複数の係止溝のうち任意の係止溝に係止突起を挿入することにより容体部内での位置を水平方向に変更可能である。
【０００８】
このクーラーボックスでは、上面が開口した箱形の容体部内に必要に応じて開口から補助部材を入れる。補助部材を垂直方向にスライド移動させながら、補助部材の係止突起を係止溝に挿入することで、補助部材は容体部内に脱着自在に固定される。このように、クーラーボックスの利用者は、その用途に合わせて種々の補助部材をクーラーボックスの容体部内に脱着自在に配置可能であり、容体部内の仕様を変化させることができる。
【０００９】
発明２にかかるクーラーボックスは、発明１のクーラーボックスであって、容体部は略直方体型であり、係止溝は、容体部の対向する一対の長辺内壁面のそれぞれの上端付近に設けられて「対の係止溝」になっている。そして、補助部材は対の係止溝に脱着自在に挿入可能な一対の係止突起を有している。
【００１０】
この場合には、容体部の一対の長辺内壁面にそれぞれ設けられた「対の係止溝」に、一対の補助部材の係止突起を挿入して固定する。
【００１１】
発明３にかかるクーラーボックスは、発明２のクーラーボックスであって、対の係止溝は容体部の長辺内壁面に長さ方向に間隔を隔てて複数設けられている。
【００１２】
この場合には、容体部内壁面の対の係止溝が複数個（複数の対）設けられており、任意の対の係止溝に補助部材を挿入し固定できる。そして、容体部内の仕様を任意に変化させることができる。
【００１３】
発明４にかかるクーラーボックスは、発明１〜３のクーラーボックスであって、係止溝は、上面側が開放された略半円筒型になるように容体部の内壁面が欠切されて設けられており、補助部材の係止突起はこの係止溝に合致する略半円筒型である。
【００１４】
この場合には、係止溝及び係止突起がそれぞれ略半円筒型であり、係止溝への係止突起の脱着がスムーズになる。
【００１５】
発明５にかかるクーラーボックスは、発明１〜４のいずれかにかかるクーラーボックスであって、容体部の内壁面の上端部には段部が設けられており、補助部材の側壁の周囲上端部には、段部に係止するフランジが設けられている。
【００１６】
【発明の実施の形態】
以下、本発明の一実施形態について説明する。
【００１７】
図１に示すように、クーラーボックスは、略直方体型の容体部１と、蝶番（図示せず）によって開閉可能なように容体部１の上部設けられている蓋部２と、蓋部２を容体部１に密閉し固定する固定機構３と、容体部１に設けられた脚部４とを有している。
【００１８】
容体部１は、内部に空間を有し上方に開口した略直方体型部材である。この空間内に魚等を保存するものであり断熱効果を必要とし、表側面及び裏側面の壁となるポリプロピレン製の一対の部材の間に発泡ポリウレタン断熱材を内包する三層構造である。表面には商品イメージに合わせた模様等が塗装されている。
【００１９】
図２及び図３に詳しく示すように、容体部１の長辺側に位置し対向する一対の内壁面１ａ，１ｂの上端付近には、長さ方向に間隔を隔てて複数の係止溝１０が設けられている。この係止溝１０は対向する内壁面１ａ，１ｂにおいてそれぞれの係止溝１０ａ，１０ｂがペアになって対応するようになっている（図３参照）。また、容体部１の内壁面１ａ，１ｂには、開口した上端付近が他の部分に比べて長さ方向にわたって連続的に切り欠かれて段１１が形成されている。そして、係止溝１０は、この段１１において上面が位置しかつその上面が開放された略半円筒型になるように容体部１の内壁面１ａ，１ｂに欠り切かれて設けられている。
【００２０】
そして、この容体部１の係止溝１０には、トレー（補助部材）２０が脱着自在に固定される。トレー２０は容体部１と同様にポリプロピレン等の合成樹脂で形成され、例えば、蓋付きの収納空間と蓋無の収納空間とを有している。トレー２０は、段１１に係止されるフランジ２２を有すると共に、容体部１の内壁面１ａ，１ｂ間の距離（容体部１の短辺長さ）に合致した幅方向長さを有し、その幅方向両端側には２対の係止突起２１を有している。この係止突起２１も略半円筒型であり、容体部１の係止溝１０に合致するようになっている。
【００２１】
蓋部２は容体部１の上方の開口を覆うように開閉自在に配置される略矩形の部材である。蓋部２は、容体部１と同様に断熱効果を必要とするものであり、容体部１と同様に、発泡ポリウレタン製の断熱材を内包する三層構造になっている。
【００２２】
このように構成されたクーラーボックスでは、使用者が必要に応じて開口から容体部１内にトレー２０を入れてトレー２０を装着する。具体的には、トレー２０を開口側から垂直方向にスライドさせながら係止突起２１を容体部１の内壁面１ａ，１ｂの任意の係止溝１０に挿入する。これにより、係止突起２１が係止溝１０にはまると共にフランジ２２が段１１に係止されて、トレー２０は容体部１に脱着自在に装着される。
【００２３】
［他の実施形態］
（ａ）トレー２０の他にも、補助部材としては、例えば図４に示すような仕切板３０を用いることもできる。この仕切板３０も容体部１の内壁面１ａ，１ｂ間の距離（容体部１の短辺長さ）に合致した幅方向長さを有し、その幅方向両端側には１対の係止突起３１を有している。この係止突起３１を容体部１の任意の係止溝１０に挿入することで、使用者は必要に応じて容体部１内の仕様を変更できる。
（ｂ）係止突起及び係止溝の形状は上記実施形態に限定されるものではなく、角柱型に形成してもよい。また、設ける係止溝の数も任意に設定できる。
（ｃ）上記実施形態では段１１を設けているが、このような段を設けることなく容体部１の内壁面に直接係止溝１０を形成してもよい。
（ｄ）係止溝は容体部１の内壁面に高さ方向全体にわたって形成してもよい。この場合には、補助部材の係止突起もこの係止溝に合致する高さ方向長さを有する様に設定する。
【００２４】
【発明の効果】
本発明にかかるクーラーボックスによれば、用途に応じて容体部内の仕様を変化させることできる。
【図面の簡単な説明】
【図１】  本発明の一実施形態を採用したクーラーボックスの全体図。
【図２】  図１のクーラーボックスの容体部１の参照図。
【図３】  図１のクーラーボックスの容体部１の上面図。
【図４】  他の補助部材を示した図。
【符号の説明】
１  容体部
２  蓋部
１０  係止溝
１１  段
２０  トレー
２１，３１  係止突起
２２  フランジ
３１  仕切板
【図１】
0004285872.tif 000002
【図２】
0004285872.tif 000003
【図３】
0004285872.tif 000004
【図４】
0004285872.tif 000005